(57)【要約】【課題】それぞれ大きさや形状が相違する香水容器の液体を小さい容器に簡単に小分けすることができる用具を供すること。【解決手段】先端に細管状のノズル部を斜めに切欠いて形成される注入口を設けると共に該ノズル部の他方を放射状に広げてろと部を形成し、該ろと部の開口部の外周縁には、一方で幅広となる偏心状の鍔部を一体的に形成し、該開口部の直径に対する前記ろと部の深さの比が、少なくとも２以上であることを特徴とする。【選択図】　　　図４
2004001810.tif 000002
【特許請求の範囲】
【請求項１】
可撓性を有する素材により形成され、先端に注入口を設けた細管状のノズル部の上方を放射状に広げてろと部を形成し、該ろと部の開口部の外周縁には、一方で幅広となる偏心状の鍔部を一体的に形成したことを特徴とする香水容器用分注用具。
【請求項２】
前記開口部の直径に対する前記ろと部の深さの比が、少なくとも２以上であることを特徴とする前記請求項１に記載の香水容器用分注用具。
【請求項３】
前記注入口は、前記ノズル部を斜めに切欠いて形成されたものであることを特徴とする前記請求項１乃至２に記載の香水容器用分注用具。
【請求項４】
可撓性を有する素材により形成され、先端に細管状のノズル部を斜めに切欠いて形成される注入口を設けると共に該ノズル部の他方を放射状に広げてろと部を形成し、該ろと部の開口部の外周縁には、一方で幅広となる偏心状の鍔部を一体的に形成し、該開口部の直径に対する前記ろと部の深さの比が、少なくとも２以上であることを特徴とする香水容器用分注用具。
【発明の詳細な説明】
【０００１】
【発明の属する技術分野】
本発明は、スプレー式容器入りの香水やオーデコロンなどを携帯用の小型容器に移す際に使用する分注用具に関する。
【０００２】
【従来の技術】
従来、スプレー式容器入りの香水やオーデコロンは、メーカー毎に多種多様のものが製造され、通常、大きなガラス容器（以下、「香水容器」という）に収容され、市販されている。
そして、これらスプレー式容器入りの香水やオーデコロンは、体に噴霧して使用されるが、そもそも香水やオーデコロンなどの香りは長時間継続しないため、外出する際に香水容器をハンドバックに入れて持ち運ぶ女性も多い。
【０００３】
したがって、外出先でも使用できるように小さな容器やいわゆるアトマイザーなどの容器に香水やオーデコロンを小分けするため、例えば、図８及び図９に示すような分注ノズル１を使用して液体を移し変えることが行われている。
この分注ノズル１の使用に際しては、図１０に示すように、香水容器（図示せず）の頭部７に取付けてある押圧ピストン９を連結ノズル８から外し、該連結ノズル８に該分注ノズル１の連結凹部３を差込み、次いで、ノズル部６の先端を小分けするための容器の瓶口に差し込んだ後、分注ノズル１の押圧片２を押圧して液体を移し変えるものである。
【０００４】
しかし、前記したように香水容器の形状や大きさは多種多様であるから、その連結ノズルの口径や長さも各メーカーや香水の種類により相違する。そのため、全ての香水容器に対応できる前記分注ノズル１を製作することは、実際上不可能である。
【０００５】
また、小分け作業では、香水容器内の香水やオーデコロンが、空気圧により一気噴霧化にされ、分注ノズル１のノズル部６を通過できる液体の許容量をオーバーし、頭部７と連結凹部３の間から漏れて無駄にしてしまったり、手を汚したりしてしまうことが多い。
【０００６】
さらには、分注ノズル１は構造が複雑で、部品数も多いことから生産コストも高いなどの問題があった。
【０００７】
【発明が解決しようとする課題】
本発明は、構造が簡単ゆえに生産コストが安く、全ての香水容器に使用可能であると共に小分け作業において香水を無駄にしたり、手を汚したりすることがなく簡単に香水を分注することができる用具を提供することを目的とする。
【０００８】
【課題を解決するための手段】
上記課題を解決するため、請求項１記載の発明は、可撓性を有する素材により形成され、先端に注入口を設けた細管状のノズル部の上方を放射状に広げてろと部を形成し、該ろと部の開口部の外周縁には、一方で幅広となる偏心状の鍔部を一体的に形成した香水容器用分注用具であることを特徴とする。
したがって、どのような大きさの香水容器や押圧ピストンであっても、分注用具を取り付けて、香水やオーデコロンを簡単に分注することができる。
【０００９】
また、請求項２に記載の発明は、前記開口部の直径に対する前記ろと部の深さの比が、少なくとも２以上である前記請求項１に記載の香水容器用分注用具であることを特徴とする。請求項３に記載の発明は、前記注入口は、前記ノズル部を斜めに切欠いて形成された前記請求項１乃至２に記載の香水容器用分注用具であることを特徴とする。
したがって、スプレーから香水が噴霧されても、分注時に分注用具から香水が漏れることもなく、確実に小分け容器に注入できる。
【００１０】
さらに、請求項４に記載の発明は、可撓性を有する素材により形成され、先端に細管状のノズル部を斜めに切欠いて形成される注入口を設けると共に該ノズル部の他方を放射状に広げてろと部を形成し、該ろと部の開口部の外周縁には、一方で幅広となる偏心状の鍔部を一体的に形成し、該開口部の直径に対する前記ろと部の深さの比が、少なくとも２以上である香水容器用分注用具であることを特徴とする。
したがって、香水容器の押圧ピストンの噴霧孔に開口部を押し当て、該鍔部を支点に開口部と噴霧孔とを簡単に合わせることができるので、香水の小分け作業が簡単に行うことができる。
【００１１】
【発明の実施の形態】
本発明の実施の形態を図１〜５に基づいて説明すると、図１は本発明に係る分注用具の斜視図、図２は一部破断した同正面図、図３は同平面図、図４は使用状態を示す斜視図、図５は分注状態を示す要部拡大断面図である。
【００１２】
分注用具１０は、例えば、合成樹脂などの可撓性を有する素材により形成されるもので、先端に細管状のノズル部１１を斜めに切欠いて注入口１２を設けると共に該ノスル部１１の上方を放射状に広げてろと部１３が形成され、該ろと部１３の開口部１５の外周縁には、一方で幅広となる偏心状の鍔部１６が一体的に形成されたものである。
【００１３】
そして、分注用具１０は、前記開口部１５の直径Ｙに対する前記ろと部１３の深さＸの比が少なくとも２以上、倍以上の長さに形成されている。
このようにすることで、香水容器３０の押圧ピストン３３で噴霧した際でも、香水やオーデコロンが分注用具１０の開口部１５から溢れるのを防止することができる。
【００１４】
すなわち、一度に大量の液体が狭いノズル孔１１ａに集中すると、流下できない液体がろと部内に溜まるため、いわゆる通常用いられるような短尺のろと部では、液体が溜まる許容量が少なく、香水やオーデコロンが開口部から溢れる虞がある。一方、ろと部の内径を必要以上に大きくすることは、後記する小瓶２０の瓶口２１に差し込む場合の折り曲げが困難となることから、前記比率により形状のバランスを保つこととした。
【００１５】
また、分注用具１０では、前記開口部１５の周縁に、一方で幅広となり全体形状が略卵形となるような鍔部１６が形成され、該鍔部１６の中心軸Ｔは前記ノズル部１１の軸心Ｍから偏心させてある。
【００１６】
このように鍔部１６の取付け位置を偏心させることにより、鍔部１６が開口部１５周縁に対し幅広部１６ａから幅狭部１６ｂまでの異径とすることができる。
したがって、後記するように香水容器３０の押圧ピストン３３の大きさ、ストロークの相違や噴霧孔３４の位置がそれぞれ相違する種々の香水容器３０に対しても、鍔部１６の位置を回転して取り付けることにより対応でき、いわゆるサイズフリーの開口部１５を形成することができる。
【００１７】
さらに、分注用具１０の先端には、前記ノズル部１１を斜めに切欠いて形成される注入口１２が設けられ、分注する小瓶２０の瓶口２２への挿入を容易にすることができる。
【００１８】
以下、本発明の実施の形態の作用について説明する。
分注用具１０を使用して香水容器３０から香水やオーデコロンを小瓶２０に小分けする場合には、図４に示すように、分注用具１０の鍔部１６の幅広部分を香水容器３０のフランジ３１と押圧ピストン３３との隙間Ｓに差し込み、ノズル部１１の先端に小瓶２０の瓶口２１を差し込んで押圧ピストン３３を押圧し、下方にスライドさせる。押圧ピストン３３がスライドするにつれて、噴霧孔３４から香水やオーデコロンが噴霧し、分注用具１０の開口部１３内に流入すると、ノズル部１１を介して小瓶２０に注入することができる。
【００１９】
分注用具１０の鍔部１６をフランジ３１と押圧ピストン３３との隙間Ｓに差し込み支持させることにより、押圧ピストン３３のみをスライドさせても分注用具１０はグラついたり移動したりせず、安定して香水容器３０に取り付けられている。
【００２０】
また、現在市販されている香水容器の押圧ピストンの最大ストローク幅は約９０ｍｍであることから、開口部１５の直径Ｙは９０ｍｍよりやや大きいことが望ましい。
かかる場合には、図５に示すごとく、押圧ピストン３３がスライドしても、噴霧孔３４の位置は常に開口部３３内において上下するのみで、噴霧された液体がろと部１３から漏れ出る虞がない。
【００２１】
そして、鍔部１６と噴霧孔３４との位置調整については、押圧ピストン３３の噴霧孔３４の最上端の位置（押圧ピストン３３がスライドする前の位置）が開口部１５の内側に常に収容されるよう鍔部１６を回転させることにより簡単に対応することができる。
【００２２】
すなわち、分注時において、図６及び図７に示すごとく、押圧ピストン３３のサイズ自体が大きいなどの理由より、噴霧孔３４が香水容器３０の上端にまで到達しない位置でストローク（上下運動）する場合には、逆に、分注用具１０の鍔部１６の幅狭部分を下側とし、幅広部分及び両側部分は押圧ピストン３３の形状に沿って指などで折り曲げ、密着させた状態で押圧ピストン３３と一緒にストローク（上下運動）させて使用する。使用する。分注用具１０が押圧ピストン３３全体をカバーし、かつ噴霧孔３４は開口部３３内でストロークされるので、噴霧された液体がろと部１３から漏れ出ることはない。
【００２３】
上記の如く、いくつかの実施形態により本発明を説明したが、それらを以って本発明を前記実施形態のみに限定するものではなく、この発明の精神を逸脱しない限り種々の改変を加えて、多種多様の変更ができることはいうまでもない。
例えば、細管状のノズル部を蛇腹状に形成することにより、ノズル部は折り曲げし易くなり、小分け容器の注入口に香水を分注し易く、香水が漏れることを防止できる。また、鍔部の形状は、一方で幅広となり全体的に偏心していれば良く、周縁に波型を形成することでより指で押え易くなるなどのメリットがある。
【００２４】
【発明の効果】
本発明に係る分注用具によれば、可撓性を有する素材で形成されかつろと部の開口部の外周縁には、一方で幅広となる偏心状の鍔部が形成されているので、どのような形状や大きさの香水容器、押圧ピストンであっても取り付けることができ、外出時用の香水の小分け作業を簡単に行うことができる。
また、分注用具の開口部の直径に対するろと部の深さの比が、少なくとも２以上であることから、分注時に分注用具から香水が漏れることはない。したがって、香水やオーデコロンが溢れて無駄にしたり、手を汚したりすることはない。
【図面の簡単な説明】
【図１】本発明にかかる分注用具の斜視図である。
【図２】同分注用具の一部破断した正面図である。
【図３】同分注用具の平面図である。
【図４】同分注用具の使用状態を示す斜視図である。
【図５】鍔部を香水容器のフランジと押圧ピストンとの隙間に挟み、押圧ピストンを押圧した状態を示す要部拡大断面図である。
【図６】分注用具の鍔部で押圧ピストンの頭部を覆って使用する状態を示す側面図である。
【図７】分注用具の鍔部で押圧ピストンの側面を覆った状態を示す平面図である。
【図８】従来の分注ノズルの斜視図である。
【図９】同分注ノズルの一部破断した側面図である。
【図１０】同分注ノズルの使用状態を示す斜視図である。
【符号の説明】
１０　　分注用具
１１　　ノズル部
１２　　注入口
１３　　ろと部
１５　　開口部
１６　　鍔部
２０　　小瓶
２１　　瓶口
３０　　香水容器
３１　　フランジ
３３　　押圧ピストン
３４　　噴霧孔
【図１】
2004001810.tif 000003
【図２】
2004001810.tif 000004
【図３】
2004001810.tif 000005
【図４】
2004001810.tif 000006
【図５】
2004001810.tif 000007
【図６】
2004001810.tif 000008
【図７】
2004001810.tif 000009
【図８】
2004001810.tif 000010
【図９】
2004001810.tif 000011
【図１０】
2004001810.tif 000012